(57)【要約】      （修正有）【課題】コンピュータに入力された情報を所定のシンボル画像にコード化（暗号化）し、該シンボル画像を記録媒体に記録することによって、大容量・長寿命な情報の保管・復元をする装置を提供する。【解決手段】コンピュータと記録装置からなる情報保管装置であって、情報を所定のシンボル画像にコード化（暗号化）し、該シンボル画像を所定の領域に配置して、かかる領域を記録媒体に記録する構成となっている。また同時に、かかる情報保管装置によりコード化（暗号化）された情報を復元するためのコンピュータと読取装置からなる情報復元装置であって、記録媒体に記録されている領域を読み取り、かかる読み取った領域からシンボル画像を抽出して、該シンボル画像にコード化（暗号化）された情報を復元する構成となっている。【選択図】図１
0003169801.tif 000002
【実用新案登録請求の範囲】
【請求項１】
コンピュータと記録装置からなる情報保管装置であって、
コンピュータは、情報を所定のシンボル画像にコード化（暗号化）する情報変換機能と、該情報変換機能により作成されたシンボル画像を所定の領域に配置する画像配置機能と、該画像配置機能によりシンボル画像が配置された領域を記録装置に出力する出力機能とを備え、
記録装置は、コンピュータの出力機能により出力された領域を取り込む入力機能と、該入力機能により取り込まれた領域を記録媒体に記録する領域記録機能とを備えたことを特徴とする情報保管装置。
【請求項２】
前記記録媒体が、マイクロフィルムであることを特徴とする請求項１に記載の情報保管装置。
【請求項３】
請求項１または請求項２に記載の情報保管装置により記録された情報を復元するための情報復元装置であって、
コンピュータと読取装置からなり、
読取装置は、記録媒体に記録されている領域を読み取る領域読取機能と、該領域読取機能により読み取った領域をコンピュータへ出力する出力機能とを備え、
コンピュータは、読取装置の出力機能により出力された領域を取り込む入力機能と、該入力機能により取り込まれた領域内に配置されているシンボル画像からコード化（暗号化）された情報を復元する情報復元機能とを備えたことを特徴とする情報復元装置。
【考案の詳細な説明】
【技術分野】
【０００１】
本考案は、コンピュータに入力された情報を保管しその保管された情報を復元するための装置に関するものである。
【背景技術】
【０００２】
産業分野のみならず、家庭にまでインターネットが普及し、マルチメディアの大量のデータが行き交う時代になっている。最近では、デジタルカメラ、携帯電話などの新しい機器の登場・普及も著しく、これに伴って、そのデータを記録する大容量記録媒体の利用もますます広範囲となってきている。これらの記録媒体は、ハードディスク（ＨＤ）を代表とする磁気ディスクをはじめとして、カード型半導体メモリやＤＶＤ等の光ディスクなどの記録媒体が存在し、極めて大容量の情報財をより高速に読込及び書込でき、正確に保存可能となっている。
【０００３】
また、スキャナ等から画像データを取り込んで、その取り込んだ画像データをＧＩＦ・ＪＰＥＧ・ＢＭＰ等の可逆圧縮形式により数値化し、画像データの情報量を圧縮して光ディスク等の記録媒体に記録し、画像データを保存する画像保存及びその復元の態様が知られている。
【０００４】
しかし、保存媒体として、機械と一体のハードディスク（ＨＤ）では、機械が故障しただけで記録情報がなくなるため、ＦＤ、ＭＯ、ＣＤ、ＤＶＤなどの可動媒体へのバックアップが必ず必要である。もちろんＦＤ、ＭＯ、ＣＤ、ＤＶＤなどの可動媒体も危険分散のために複製を取り、別の場所に保管するなどの処置が必要となる。また、情報の長期間活用には記録媒体の寿命と装置の耐久性が問題となるが、裸眼可視媒体の紙やマイクロフィルムの場合には、媒体自体の寿命が情報の活用期間になるところ、電磁記録は媒体自体の寿命と読み取る装置の耐久性が活用期間に関係する。媒体自体の寿命は、マイクロフィルムは適正な保存条件では５００年以上の実績があるのに対し、電磁記録媒体の場合、ＣＤ−Ｒは１００年程度、ＦＤやＭＯも５〜１０年の寿命である。従って、電磁記録の場合には現在使用している装置の耐用年数の方が短いので、長期間活用の要因は媒体の寿命ではなく装置の耐用年数になる。また、マイクロフィルムや紙の場合には汚れやキズで読み難くなっても情報は残るが、電磁記録の場合にはキズや故障により情報がまったくなくなることがあるので、電磁記録の寿命に対する信頼性は劣るといえる。マイクロフィルムで保存条件を維持すること以上に、電磁記録の場合には保存に関して手を加えること（故障対策、装置変換、媒体変換など）が必要となる問題点を有している。
【０００５】
これとは逆に、紙やマイクロフィルムには不可視情報は記録できず、また、大容量の情報は記録できないという欠点もある。また、ルーペ等を使用すれば内容が判読できてしまうため、機密情報の記録には向いていない。
【特許文献１】特開２００３−２６３４４０号公報
【特許文献２】特開平１０−３４３２号公報
【考案の開示】
【考案が解決しようとする課題】
【０００６】
上記問題点を解決するため、本考案は、コンピュータに入力された情報を所定のシンボル画像にコード化（暗号化）し、該シンボル画像を記録媒体に記録することによって、大容量・長寿命な情報の保管・復元を実現する装置を提供することを目的とする。
【課題を解決するための手段】
【０００７】
本考案は、上記目的を達成するため、コンピュータと記録装置からなる情報保管装置であって、コンピュータは、情報を所定のシンボル画像にコード化（暗号化）する情報変換機能と、該情報変換機能により作成されたシンボル画像を所定の領域に配置する画像配置機能と、該画像配置機能によりシンボル画像が配置された領域を記録装置に出力する出力機能とを備え、記録装置は、コンピュータの出力機能により出力された領域を取り込む入力機能と、該入力機能により取り込まれた領域を記録媒体に記録する領域記録機能を備えた構成となっている。
【０００８】
また、本考案は、前記情報保管装置において、記録媒体がマイクロフィルムである構成を採用することができる。
【０００９】
さらに、本考案は、前記情報保管装置により記録された情報を復元するための情報復元装置であって、コンピュータと読取装置からなり、読取装置は、記録媒体に記録されている領域を読み取る領域読取機能と、該領域読取機能により読み取った領域をコンピュータへ出力する出力機能とを備え、コンピュータは、読取装置の出力機能により出力された領域を取り込む入力機能と、該入力機能により取り込まれた領域内に配置されているシンボル画像からコード化（暗号化）された情報を復元する情報復元機能を備えた構成とすることもできる。
【考案の効果】
【００１０】
通称ＱＲコードと呼ばれている二次元バーコードに代表されるコード化されたシンボル画像は、プリンタ等の印刷装置により紙などに印刷して使用され、これらの印刷されたシンボル画像は、スキャナやデジタルカメラ等の読取装置によって情報を読み取ることとなる。しかしながら、紙などに印刷されたシンボル画像は、劣化や汚損によって正確に読み取れなくなる場合が生じ得る。これに対し、本考案にかかる情報保管装置・復元装置によれば、情報をシンボル画像に相互交換できるソフトの開発によって、該シンボル画像をそのままマイクロフィルムやＤＶＤ等の記録媒体に記録・保管するためデータの劣化や汚損等による問題も生じることはない。そして、読取装置を必要としないことから、シンプルな構成となってコスト面でも大きく貢献するという効果が得られる。
【００１１】
また、従来におけるシンボル画像のスキャナやデジタルカメラ等による読み込み作業は、手作業であるため煩雑であり、時間と労力を要するとともに、一旦は紙等に印刷しなければならないため非常に不経済である。これに対し、本考案によれば、手作業による読取工程を省略でき、作業者の労力軽減を可能とし、経済的効果も奏する。
【００１２】
さらに、従来において、可視情報の記録媒体のひとつであるマイクロフィルムに記録した情報は、イメージデータでしか出力できなかったが、本考案によれば、本来可視情報記録媒体であるマイクロフィルムに、情報をシンボル画像に変換した不可視情報を記録可能となる効果が得られるとともに、マイクロフィルの一領域にシンボル画像を複数配置することによって、極めて大容量の情報を記録することができるという効果も奏する。
【００１３】
またさらに、ＭＯ・ＣＤ・ＤＶＤ・ハードディスク（ＨＤ）等の記録媒体は、前述の通り、機械の故障・装置の耐用年数・電磁記録の寿命に対する信頼性に欠ける面があるが、本装置における記録媒体としてマイクロフィルムを採用することにより、汚れやキズで読み難くなっても情報は残り、長期保存も可能となるため、重要な情報の保管に優れた効果を有する。
【００１４】
そしてまた、従来のマイクロフィルムは、ルーペ等により容易に判読できてしまい、機密情報の記録には向かないという欠点があったが、本考案によれば、情報そのものではなく、コード化したシンボル画像を記録するため、機密情報の安全性の向上に資する効果も奏する。
【考案を実施するための最良の形態】
【００１５】
本考案は、情報をシンボル画像Ｓにコード化（暗号化）し、所定の領域Ｒに配置するとともに該領域Ｒを記録媒体４に記録することによって、大容量の情報を効率よく安全に記録し、これを復元可能としたことを最大の特徴とする。以下、本考案の実施形態を図面に基づいて説明する。
【実施例１】
【００１６】
図1は、本考案にかかる情報保管装置の実施形態を示すブロック図である。該情報保管装置は、コンピュータ１と記録装置２から構成されている。コンピュータ１は、情報変換機能と、画像配置機能と、出力機能を備えている。また、記録装置２は、入力機能と、領域記録機能を備えている。
【００１７】
コンピュータ１が備える情報変換機能は、該コンピュータ１に入力された情報をコード化（暗号化）して、所定のシンボル画像Ｓに変換する機能である。このとき、コンピュータ１に入力される情報については、コンピュータ１内のハードディスク（ＨＤ）のみならず、スキャナ５や外部読取装置３からの情報等、種々の情報に対応可能である。また、変換されたシンボル画像Ｓについては情報がコード化（暗号化）されていればその画像形態に限定はなく、例えば通称ＱＲコードと呼ばれている二次元バーコード画像などに変換されることとなる。
【００１８】
コンピュータ１が備える画像配置機能は、前記情報変換機能により作成されたシンボル画像Ｓを、所定の領域Ｒに配置する機能である。ここで、所定の領域Ｒについては、記録媒体４の種類に応じて適宜に決定することが可能である。例えば、ＭＯやＤＶＤなどの電子記録媒体の場合、プリンタで印刷可能なＡ４・Ｂ４等の規格の領域Ｒとし、マイクロフィルム等の可視記録媒体の場合は、該記録媒体４の一領域Ｒ（一マス）とすることが可能である。尚、かかる領域Ｒに配置されるシンボル画像Ｓの位置・配列については、後述する情報復元装置により情報の復元が可能であれば任意でよく、確定的に定まるものではない。すなわち、情報の順番通りに整列させることも可能であり、また、より機密性を高めるべく、ランダムに配置することも可能である。
【００１９】
コンピュータ１が備える出力機能は、前記画像配置機能によりシンボル画像Ｓが配置された領域Ｒを、記録装置２に出力する機能である。記録装置２については、ＣＤ・ＤＶＤ・ＭＯ・ハードディスク（ＨＤ）・マイクロフィルム等の記録媒体４に対し情報を記録するための装置であって、かかる記録媒体４にあわせて決定される。
【００２０】
記録装置２が備える入力機能は、前記コンピュータ１の出力機能により出力された領域Ｒを、記録装置２内へ取り込む機能である。
【００２１】
記録装置２が備える領域記録機能は、前記入力機能により記録装置２内に取り込まれた領域Ｒを、記録媒体４に記録する機能である。
記録媒体４については特に限定はなく、ＭＯ・ハードディスク（ＨＤ）などの磁気記録媒体や、ＣＤ・ＤＶＤなどの光記録媒体、マイクロフィルムなどの可視記録媒体等が挙げられ、利便性や耐用年数等を考慮して適宜決定することができる。
【００２２】
ここで、上記情報保管装置を実行すべく、コンピュータ１に搭載されるプログラムについて説明する。
【００２３】
図３は、本考案の情報保管装置を実行するためのプログラムの処理を示すフローチャートである。コンピュータ１は、まず、既存の情報・外部記録媒体４に保存された情報・キーボード等から入力された情報などの種々の情報の中から、コード化（暗号化）すべき指定された処理対象情報Ｉについて、後述する情報分割の際の分割単位あたりの最適な情報量を算出する（情報量算出手段）。次に、かかる情報量算出手段によって算出された情報量値に基づいて、各種情報は分割される（情報分割手段）。分割された情報は、コード化（暗号化）され所定のシンボル画像Ｓに変換される（情報変換処理手段）。その後、指定された記録媒体４に対応する所定の領域Ｒにシンボル画像Ｓを配置すべく、該領域Ｒにおけるシンボル画像Ｓの配置が算出される（配置算出手段）。かかる配置算出手段により算出された配置に基づいて、領域Ｒ内にシンボル画像Ｓが配置される（画像配置手段）。最後に、シンボル画像Ｓが配置された領域Ｒは記録装置２に対して出力される（出力手段）。
【００２４】
以下、上記構成からなる情報保管装置を実行するにあたって、情報を記録媒体４に保管が完了するまでの一連の処理態様について説明する。
【００２５】
図５は、本考案にかかる情報保管装置を実行した際の情報の変換態様を示すイメージ図である。まずはじめに、上記情報保管装置における保管の対象となり得る処理対象情報Ｉについては、あらゆる電子情報を処理対象情報Ｉとすることが可能である。例えば、アプリケーションソフトを起動して文書や画像等を作成し、これを所定の保存形式で保存した情報、すなわち、文書情報であればＣＳＶ・ＨＴＭＬ等のテキストデータに、画像情報であればＧＩＦ・ＪＰＥＧ・ＢＭＰ・ＰＤＦ等の可逆圧縮形式に保存された情報が処理対象情報Ｉとなり得る。このことは、音声データや動画データであっても同様である。また、既にＣＤ・ＤＶＤ・ハードディスク（ＨＤ）等の記録媒体４に記録された電子情報であっても処理対象情報Ｉとすることが可能である。さらに、紙に手書きした文字や絵画等も、スキャナ５等の光学読取装置３で読み取ることによって電子情報化することにより、処理対象情報Ｉとすることもできる。
【００２６】
かかる種々の情報の中から、コード化（暗号化）すべき処理対象情報Ｉを指定し、その指定された処理対象情報Ｉは、コンピュータ１内のプログラムに読み込まれる。この場合、ファイル形式を指定して読み込むことも可能であり、また、自動的にファイル形式を認識して取り込むようにすることもできる。ここで、コンピュータ１は、取り込まれた情報を所定のシンボル画像Ｓにコード化（暗号化）することとなるが、その際、上述したプログラムにおける情報量算出手段、情報分割手段、情報変換処理手段が実行される。
【００２７】
情報をコード化（暗号化）することにより作成されたシンボル画像Ｓは、所定の領域Ｒに配置されることとなるが、この時、かかる領域Ｒを決定すべく記録媒体４の選択・決定が行われる。そして、プログラムにおける配置算出手段により決定された領域Ｒ内におけるシンボル画像Ｓの配置が算出され、かかる算出された配置に基づきシンボル画像Ｓの配置が実行される。尚、シンボル画像Ｓの配置される位置・配列について、任意に決定することが可能である。
【００２８】
このとき、処理対象情報Ｉの情報量に対応したシンボル画像Ｓの数や、該シンボル画像Ｓの配置についての目次情報を、同様にコード化（暗号化）して目次用シンボル画像Ｓ１を作成し、その目次用シンボル画像Ｓ１を領域Ｒの先頭に配置することが望ましい。かかる態様を採用することにより、記録媒体４から情報を復元する際に、まず目次用シンボル画像Ｓ１を読み込むことで一領域Ｒ内に多数配置されたシンボル画像Ｓのうちどのシンボル画像Ｓを読み込むか、また、ランダムに配置されている場合の読み込み順序等について、プログラムが把握することが可能となって、読取作業効率の向上に資する効果がある。
【００２９】
また、シンボル画像Ｓの数や配置についての目次情報について、上記したように別途目次用シンボル画像Ｓ１を配置するのではなく、かかる目次情報を処理対象情報Ｉの先頭に付け加えて、それら全ての情報を所定のシンボル画像Ｓにコード化（暗号化）する態様も可能である。かかる態様とすれば、改めて目次用シンボル画像Ｓ１を配置する必要がなくなるため、その分の空いたスペースを確保することが可能となって、より多くの情報を記録媒体４に記録することができる。
【００３０】
シンボル画像Ｓの配置が完了した領域Ｒは、コンピュータ１から記録装置２に出力され、記録装置２において記録媒体４へ記録することで、情報保管に関する一連の処理が終了する。尚、処理対象情報Ｉについてのシンボル画像Ｓの数が一領域Ｒ内に収まる数を超えた場合には、一領域Ｒについての上記一連の処理が終了した後に、さらにシンボル画像Ｓの配置から記録媒体４への記録までの処理を繰り返し実行することとなる。
【実施例２】
【００３１】
次に、情報復元装置について説明する。図２は、本考案にかかる情報復元装置の実施形態を示すブロック図である。該情報復元装置は、上記情報保管装置により記録された情報を復元するための装置であって、コンピュータ１と読取装置３から構成される。読取装置３は、領域読取機能と、出力機能とを備えている。また、コンピュータ１は、入力機能と、情報復元機能とを備えている。
【００３２】
読取装置３は、上記情報保管装置において選択された記録媒体４に対応する装置であって、該読取装置３が備える領域読取機能は、かかる記録媒体４に記録されている領域Ｒを読み取る機能である。尚、ＭＯ・ＤＶＤなどの電子記録媒体に対応する読取装置３と上記記録装置２とは同一装置であるが、マイクロフィルムなどの可視記録媒体に対応する読取装置３と上記記録装置２とは別個の装置となるのが一般的である。それは、前者は記録と読取に同一の手段（光・磁気）を用いるのに対し、後者は転写による記録と投影による読取という異なる手段によるからである。
【００３３】
読取装置３が備える出力機能は、前記領域読取機能により読み取った領域Ｒをコンピュータ１へ出力する機能である。
【００３４】
コンピュータ１が備える入力機能は、前記読取装置３の出力機能により出力された領域Ｒを、コンピュータ１内へ取り込む機能である。
【００３５】
コンピュータ１が備える情報復元機能は、前記入力機能によりコンピュータ１内へ取り込まれた領域Ｒ内に配置されているシンボル画像Ｓから、コード化（暗号化）された情報を復元するための機能である。
【００３６】
ここで、上記情報復元装置を実行すべく、コンピュータ１に搭載されるプログラムについて説明する。
【００３７】
図４は、本考案の情報復元装置を実行するためのプログラムの処理を示すフローチャートである。コンピュータ１は、まず、読取装置３によって出力された領域Ｒを取り込む（領域取込手段）。次に、かかる領域取込手段によって取り込まれた領域Ｒから、配置されているシンボル画像Ｓが抽出される（画像抽出手段）。そして、抽出されたシンボル画像Ｓを解析することにより、該シンボル画像Ｓにコード化（暗号化）されている情報が復元される（情報復元手段）。尚、情報復元手段による処理は、復元すべきシンボル画像Ｓの数だけ繰り返し実行される。
【００３８】
以下、上記構成からなる情報復元装置を実行するにあたって、記録媒体４から情報の復元が完了するまでの一連の処理態様について説明する。
【００３９】
図６は、本考案にかかる情報復元装置を実行した際の情報の変換態様を示すイメージ図である。まず、必要に応じて読取装置３にＭＯ・ＤＶＤなどの記録媒体４をセットし、該記録媒体４からシンボル画像Ｓが配置されている領域Ｒを読み取る。読み取った領域Ｒは読み取り装置からコンピュータ１へ出力され、コンピュータ１内のプログラム上に該領域Ｒが取り込まれる。かかるプログラムにおいて、取り込まれた領域Ｒから該領域Ｒ内に配置されているシンボル画像Ｓを抽出し、そのシンボル画像Ｓの解析が行われることで、シンボル画像Ｓにコード化（暗号化）されている情報の復元が実行される。そして、復元された情報がコンピュータ画面６上に表示あるいは外部印刷媒体７に印刷されることによって、情報復元に関する一連の処理が終了する。
【００４０】
尚、読み取った領域Ｒ内に、上述した目次用シンボル画像Ｓ１が存在する場合には、その目次用シンボル画像Ｓ１に収められたシンボル画像数や配列等の情報の解析結果に基づき、複数のシンボル画像Ｓからの情報復元、さらには、復元された情報の結合等がプログラム上にて実行されることとなる。このことは、目次情報が処理対象情報Ｉの先頭に付け加えられた態様の場合も同様である。
【図面の簡単な説明】
【００４１】
【図１】本考案にかかる情報保管装置の実際形態を示すブロック図である。
【図２】本考案にかかる情報復元装置の実際形態を示すブロック図である。
【図３】本考案の情報保管装置を実行するためのプログラムの処理を示すフローチャートである。
【図４】本考案の情報復元装置を実行するためのプログラムの処理を示すフローチャートである。
【図５】本考案にかかる情報保管装置を実行した際の情報の変換態様を示すイメージ図である。
【図６】本考案にかかる情報復元装置を実行した際の情報の変換態様を示すイメージ図である。
【符号の説明】
【００４２】
１    コンピュータ
２    記録装置
３    読取装置
４    記録媒体
５    スキャナ
６    コンピュータ画面
７    外部印刷媒体
Ｉ    処理対象情報
Ｒ    領域
Ｓ    シンボル画像
【図１】
0003169801.tif 000003
【図２】
0003169801.tif 000004
【図３】
0003169801.tif 000005
【図４】
0003169801.tif 000006
【図５】
0003169801.tif 000007
【図６】
0003169801.tif 000008